(57)【要約】制御装置（２８）に応答して同じ昇降路（２７）内で走行している一対のかご（２３、２４）において、一方のかごが運行して乗客を送り届け終わらないうちに、他のかごが進路を空けるのを待たなければならないとき、ドアを閉めたまま停止していてもよく、ドアを開けたまま停止していてもよい。各々のかご（３０）内で、標識（２９）およびスピーカ（３３）の両方を使って乗客に同じ内容のメッセージを提供し、動作が正常であって、心配する理由は何もないことを乗客に知らせて安心してもらう。
2008529923.tif 000002
【特許請求の範囲】
【請求項１】
少なくとも１つの昇降路（２７）と、
各々の前記昇降路内で走行する少なくとも２基のエレベータかご（２３、２４）と、
各々の前記昇降路内にあるエレベータかごの動作を制御する少なくとも１つの制御装置と、を有するエレベータシステムであって、
乗客の要求に従って運行するために各エレベータかごがさらに移動すると、前記昇降路内にある他の１基のかごに過度に接近する場合に、前記制御装置が、各エレベータかごを停止および／または待機させ、
各々の前記エレベータかごの中に、停止および／または待機が正常な動作であることを乗客に知らせて安心してもらう視覚メッセージを表示する視覚的な表示器（２９）と、前記表示器に表示されたメッセージと同じ内容を提供する音声装置（３３）と、の１つまたは複数のものから選択されたメッセージ配信装置（３０）が装備されていること、
を特徴とするエレベータシステム。
【請求項２】
少なくとも１つの昇降路（２７）と、各々の前記昇降路内で走行する少なくとも２基のエレベータかご（２３、２４）と、各々の前記昇降路内にあるエレベータかごの動作を制御する少なくとも１つの制御装置（２８）と、を有するエレベータシステム（２２）の作動方法であって、
乗客の要求に従って運行するために各エレベータかごがさらに移動すると、前記昇降路内にある他の１基のかごに過度に接近する場合に、各エレベータかごを停止および／または待機させることと、
待機している間に、各々の前記かご（３０）内で、停止および待機が正常な動作であることを乗客に知らせて安心してもらうメッセージを提供すること（２９、３３）と、
を特徴とするエレベータシステムの作動方法。
【発明の詳細な説明】
【技術分野】
【０００１】
本発明は、各々の昇降路内に２基以上のかごがあるエレベータシステムにおいて、他のかごが進路を空けるまで待たなければならないかごの乗客に、待たされていることを視覚的および聴覚的に知らせることで、乗客に安心感を与えるエレベータシステムに関する。
【背景技術】
【０００２】
所与の昇降路内に２基以上のエレベータかごを有することで、エレベータ昇降路に与えられた所与の床面積当たりのエレベータ能力を増加させるという近年の傾向がある。呼びに応答してかごを割り当て、乗客をその行先階に運ぶためにどのような方式を取ろうと、エレベータかごを最大限に利用しようとすれば、１基のかごが他のかごに接近しすぎたり、他のかごを追い越したくなるようなことが常に生じる。このような状況の際に、１基のかごが停止してドアを閉じたまま待機するか、あるいはドアを開けたまま長すぎると思われるほど長く待機する。この際に、乗客を不安にさせないことが大切である。
【発明の開示】
【発明が解決しようとする課題】
【０００３】
本発明の目的は、かごが通常の停止時間よりも長く止まっていたり、ドアを閉じたまま停止していることが、正常な動作であって故障ではないことをエレベータかご内にいる乗客に知らせることと、各々のエレベータ昇降路内に２基以上のかごがあるエレベータシステムにおいて、かごの通常の停止時間が長引いていたり、かごがドアを閉じたまま停止しているときに、乗客が不安にならないように情報を提供することと、複数のかごが同時に動くエレベータの運行を改善することと、同じ昇降路内で他のかごが進路を空けてくれるのを待たなければならないときにも乗客に安心感を与えるようにエレベータを運行することと、を含む。
【課題を解決するための手段】
【０００４】
本発明によれば、１つの昇降路内に２基以上のかごがあるエレベータシステムにおいて、かごの通常の停止時間が長引いていたり、かごがドアを閉じたまま停止しているときに、エレベータかごに乗っている人に向けて視覚的および聴覚的メッセージを送り、他のエレベータかごが進路を空けるまで待っているだけであることを知らせて、安心してもらう。メッセージの内容は異なり得るが、いずれにせよ状況を正しく認識してもらう。本発明によれば、エレベータかご内にある既存の表示器とは独立した、あるいは既存の表示器の一部分である電気標識が、例えば「他のかごが乗降中のためお待ち下さい」などのメッセージを表示して、心配する理由がないことを乗客に知らせて、安心してもらう。これに加えて、同じメッセージを音声で提供することも可能である。
【０００５】
本発明の他の目的、特徴および利点は、以下における添付の図面に図示される実施例の詳細な説明により、さらに明らかとなる。
【発明を実施するための最良の形態】
【０００６】
図１を参照すると、エレベータシステム２２は、下のエレベータかご２３および上のエレベータかご２４を備えている。２基のかごは同じ昇降路２７内にあり、７階と９階に停止している。２基のエレベータかごの間に１つの階しかないこの状況では、一方のかごまたは双方のかごが、他方のかごから離れる方向へ移動する以外は、どちらのかごが動いても危険であると考えられる。言い換えれば、かご２４が上昇するか、かご２３が下降すればよい。もし、かご２３が８階へ行こうとする乗客を乗せているのであれば、かご２４が上昇して安全基準を満たすまで、かご２３は待機していなければならない。この状況に応じて制御装置２８が作動し、かご２３を停止させて、ドアを閉めたまま待機させる。
【０００７】
この間、かご２３は通常の停止時間を延長して待機し、さらに本発明によれば、かご２３内にある標識２９（図２）などの視覚的な表示器が、例えば、「他のかごが乗降中のためお待ち下さい」などの適切なメッセージを表示し、動作が正常であることを乗客に知らせて、安心してもらう。これと同時に、かご３０内にあるスピーカ３３などの音声装置を利用して、同じ内容のメッセージを音声で流し、すべての動作が安全確実に行われていることを乗客に知らせて安心してもらう。
【０００８】
かごが停止しているときにドアを開けたままにして、乗客が乗降りできるようにしてもよい。この際にも、本発明では、ドアが開いたままで走行が再開しない理由を説明するメッセージを提供する。また、制御装置によって、かごが呼びのない階に停止された場合に、ドアは閉じたままである。本発明のメッセージはこのような状況をも説明する。
【０００９】
図３に、他の状況が示されている。この状況では、かご２３は１１階にあり、かご２４は１２階にある。かご２４は空であり、かご２３は乗客を降ろすために１２階に接近しなければならないとする。かご２３は、ドアを閉めたまま、１１階に停止し続けている。この状況で、かご２３は、かご２４が天井空間３６まで上昇して格納されるまで、待たなければならない。かご２４は、少なくとも、かご２３が乗客を送り届けて１２階から下降していなくなるまで、格納されていなければならない。かご２４は、往来の少ない時間帯であれば、格納されたままにしてもよい。
【００１０】
図３の状況では、図２の標識２９およびスピーカ３３は、すべての動作が正常であり、心配する理由は何もないことを乗客に知らせて安心してもらうメッセージを送る。
【００１１】
本発明は、各種の視覚的な表示器および音声装置を使って実施され得る。本発明の範囲を逸脱せずに、視覚または聴覚メッセージが、どちらか一方を欠いて用いられ得る。
【図面の簡単な説明】
【００１２】
【図１】１つの昇降路内に一対のエレベータかごを有するエレベータシステムの一部の模式的な側面図（走行中に２つのかごが互いに接近しすぎている）。
【図２】エレベータかご内の本発明による標識およびスピーカの部分正面図。
【図３】１つの昇降路内に一対のエレベータかごを有するエレベータシステムの一部の模式的な側面図（１つのかごが、空のかごが天井空間に格納されるのを待っている）。
【図１】
2008529923.tif 000003
【図２】
2008529923.tif 000004
【図３】
2008529923.tif 000005
【国際調査報告】
2008529923.tif 000006